(57)【特許請求の範囲】
【請求項１】
左右１対の側板間に、天板を、前方を向く位置から後上方へはね上げ可能として装着するとともに、ノート型パソコンを載置する載置台を、天板の下方における収容位置から、前上方に引き出し可能として装着し、前記載置台を前上方に引き出し可能なように案内する案内手段を、１対の側板の対向面に設け、かつ載置台の両側前後部に設けた被ガイド部を案内するとともに、前上方を向く傾斜部を有する前後１対のガイド溝またはガイドレールを設け、前記前方のガイド溝またはガイドレールにおける後端から前方に向かう最初の前上向き傾斜部までの距離を、後方のガイド溝またはガイドレールにおける後端から前方に向かう最初の前上向き傾斜部までの距離より小としたことを特徴とするパソコン収容型天板ユニットにおけるパソコン載置装置。
【請求項２】
ガイド溝またはガイドレールの適所に落ち込み部を設け、この落ち込み部に載置台の被ガイド部が落ち込むことにより、載置台の前後方向への移動に抵抗力を付与するようにした請求項１記載のパソコン収容型天板ユニットにおけるパソコン載置装置。
【請求項３】
前後のガイド溝またはガイドレールの側面形を同一とした請求項１または２記載のパソコン収容型天板ユニットにおけるパソコン載置装置。
【請求項４】
左右１対の側板間に、天板を、前方を向く位置から後上方へはね上げ可能として装着するとともに、ノート型パソコンを載置する載置台を、天板の下方における収容位置から、前上方に引き出し可能として装着し、１対の側板の内面後部に、天板の下方における載置台より後方の部分を覆うカバーの後端部を左右方向を向く軸をもって枢着し、かつ前記カバーの前部を、載置台上に載置したことを特徴とするパソコン収容型天板ユニットにおけるパソコン載置装置。
【請求項５】
カバーの下方に、配線収容部を配設した請求項４記載のパソコン収容型天板ユニットにおけるパソコン載置装置。
【発明の詳細な説明】
【０００１】
【発明の属する技術分野】
本発明は、パソコン収容式の机、特に、学校、研修所等の教育施設に用いられる長机に取り付けられるパソコン収容型天板ユニットにおけるパソコン載置装置に関する。
【０００２】
【従来の技術】
ノート型パソコンを収容し、天板を開けて内部のノート型パソコンを使用できるようにした従来の机は知られている。
【０００３】
【発明が解決しようとする課題】
しかし、このような机において、単に天板を開けただけの状態では、内部に収容されているノート型パソコンを操作するのに最適な位置とはならず、着座している椅子を、もう少し前進させなければならない。
また、内部に収容されているノート型パソコンの高さも、若干低すぎるきらいがあり、操作しにくい。この収容時の高さを最適なものとすると、天板を閉じた場合、その上面が通常の机の天板よりも高くなってしまい、筆記執務面として具合が悪い。
【０００４】
本発明は、上述の問題点に鑑み、パソコン用の載置台が、パソコン操作に適当な位置まで引き出すことができ、しかもその際に適当な高さまで上昇するようにした、パソコン収容型天板におけるパソコン載置装置を提供することを目的としている。
【０００５】
【課題を解決するための手段】
本発明によると、上記課題は、次のようにして解決される。
（１）左右１対の側板間に、天板を、前方を向く位置から後上方へはね上げ可能として装着するとともに、ノート型パソコンを載置する載置台を、天板の下方における収容位置から、前上方に引き出し可能として装着し、前記載置台を前上方に引き出し可能なように案内する案内手段を、１対の側板の対向面に設けられ、かつ載置台の両側前後部に設けた被ガイド部を案内するとともに、前上方を向く傾斜部を有する前後１対のガイド溝またはガイドレールを設け、前記前方のガイド溝またはガイドレールにおける後端から前方に向かう最初の前上向き傾斜部までの距離を、後方のガイド溝またはガイドレールにおける後端から前方に向かう最初の前上向き傾斜部までの距離より小とする。
【０００６】
（２）上記(１)項において、ガイド溝またはガイドレールの適所に落ち込み部を設け、この落ち込み部に載置台の被ガイド部が落ち込むことにより、載置台の前後方向への移動に抵抗力を付与するようにする。
【０００７】
（３）上記(１)または(２)項において、前後のガイド溝またはガイドレールの側面形を同一とする。
【０００８】
（４）左右１対の側板間に、天板を、前方を向く位置から後上方へはね上げ可能として装着するとともに、ノート型パソコンを載置する載置台を、天板の下方における収容位置から、前上方に引き出し可能として装着し、１対の側板の内面後部に、天板の下方における載置台より後方の部分を覆うカバーの後端部を左右方向を向く軸をもって枢着し、かつ前記カバーの前部を、載置台上に載置する。
【０００９】
（５）上記(４)項において、カバーの下方に、配線収容部を配設する。
【００１０】
【発明の実施の形態】
図１は、本発明の一実施形態を備えたパソコン収容型天板ユニット(１)を装備した長机(Ａ)の斜視図であり、図２は、その縦断側面図である。
【００１１】
これらの図に示されているように、パソコン収容型天板ユニット(１)は、長机(Ａ)の両側の脚(２)(２)の上部に取り付けられた端部の側板(3a)(3a)と、これらの側板(3a)(3a)間に左右方向に等間隔をもって配設された前後方向を向く２個の中間の側板(3b)(3b)とを有し、これらの側板(3a)(3b)の下端には、底板(４)が取り付けられている。
【００１２】
側板(3a)(3b)の後下部は下方に向かって延出しており、それに沿って、底板(４)の後部には、下方に向かって凹入するポケット状の配線収容部(５)が設けられている。この配線収容部(５)は、若干前傾した前覆板(６)と、ほぼ水平の底受板(７)と、垂直の後覆板(８)とにより形成されている。
【００１３】
配線収容部(５)の後面を形成する後覆板(８)と、各側板(3a)(3b)の後端に架設された後面板(９)との間には、垂直方向の細長い空間(10)が形成されており、この空間(10)に面する各側板(3a)(3b)の後部の対向面には、上下方向に長い長溝状のガイド溝(11)が形成されている。
【００１４】
互いに対向する左右のガイド溝(11)には、左右方向を向く天板支持体(12)の両端に設けられた上下１対のガイドローラ(13)(13)が、上下動可能として嵌合されており、天板支持体(12)の上端部には、天板(14)の後端部が左右方向を向く枢軸(15)をもって枢着されている。
【００１５】
天板(14)は、互いに対向する左右の側板(3a)(3b)間の空間の上面と前面とを覆う側面視横向きＬ字状をなし、常時は、図２に示すように、前端の垂下部(14a)の
下端が底板(４)の前端部上面に当接して、上面がほぼ水平な筆記面をなす前向き位置に位置しており、この状態から、枢軸(15)を中心として、図３に示すような垂直位置まで、後上方にはね上げることができ、かつ垂直状態のまま、図４に示すような垂直下降位置まで、天板支持体(12)とともに若干下降しうるようになっている。
【００１６】
対向する側板(3a)(3b)の対向面の後上部には、前向き位置に位置しているときの天板(14)の後両側部を支持するローラ(16)が軸着されており、このローラ(16)は、天板(14)が図４に示す垂直下降位置に位置しているときの天板(14)の前倒を阻止するとともに、天板(14)の垂直状態での上下動、及び垂直状態から前傾するときの動きを円滑にする作用を有している。
【００１７】
天板(14)及び天板支持体(12)の昇降を円滑にするため、例えば、天板支持体(12)と後面板(９)との間に、天板支持体(12)の下降を緩速化させる公知のガスダンパや、天板(14)と天板支持体(12)との重量を軽減させるバランスウエイト手段、ばね等の上向き付勢手段、緩衝手段等（いずれも図示略）を設けるのが好ましい。
【００１８】
天板(14)と底板(４)との間には、ノート型パソコン(17)を載置する図５に示すような載置台(18)が、その側面に設けた被ガイド部である前後１対のローラ(19)(20)が、側板(3a)(3b)の内側に形成された前後のガイド溝(21)(22)に案内されることにより、前上方に引き出し可能として装架されている。
【００１９】
前方のガイド溝(21)は、後端から前上方に向かって延出する傾斜部(21a)と、その前端より連続するなだらかな山形をなす頂部(21b)と、さらにその前端より連続してわずかに下向き傾斜する落ち込み部(21c)とからなっている。
【００２０】
後方のガイド溝(22)は、後端から前方に向かってほぼ水平に延出する後水平部(22a)と、その前端より連続して、前上方に向かって延出する傾斜部(22b)と、その前端より連続して前方に向かってほぼ水平に延出する前水平部(22c)とからなっている。
【００２１】
このように、前方のガイド溝(21)の後端から前方に向かう最初の前上向き傾斜部(21a)までの距離を、後方のガイド溝(22)の後端から前方に向かう最初の前上向き傾斜部(22b)までの距離より小さくしたことにより、載置台(18)の引き出し時に、その前部が後部より先に持ち上げられ、その後、後部が追従するので、載置台(18)を引き出し易く、かつなめらかに引き出すことができる。
【００２２】
また、図４に示すように、載置台(18)を前限まで引き出したとき、前方のローラ(19)がガイド溝(21)の落ち込み部(21c)に係合することにより、載置台(18)は安定して両側板(3a)(3b)間に支持される。
【００２３】
被ガイド部であるローラ(19)(20)とガイド溝(21)(22)とにより、載置台(18)を前上方に引き出し可能なように案内する案内手段が形成されている。
【００２４】
この案内手段は、例えば、ガイド溝(21)(22)の屈曲形状とほぼ同様に屈曲したガイドレールを、対向する側板(3a)(3b)の内面に固着し、そのガイドレールを上下より挟むようにした前後１対のローラユニットを、載置台(18)の両側面に枢設したものによって形成してもよい。
【００２５】
このような構成であるので、天板(14)を、図２に示す収容状態から、その後部の枢軸(15)を中心として上方に開いて、図３に示す垂直位置とした後、天板支持体(12)とともに、図４に示す垂直下降位置まで下降させると、天板(14)は約１／３が隠れた状態で停止する。
【００２６】
ノート型パソコン(17)は、その配線類を後部の配線収容部(５)に収容した状態で載置台(18)に載置されており、この載置台(18)は、天板(14)を上述のように開いた状態において、前方に引き出すことができる。この際、載置台(18)は、そのまま前方に引き出されるのではなく、ガイド溝(21)(22)の傾斜に案内されて前上方に移動し、ノート型パソコン(17)の操作面を、閉止時の天板(14)の上面とほぼ同じ高さに保持することができ、ノート型パソコン(17)の操作性をよくすることができる。
【００２７】
また、このときのノート型パソコン(17)の後方及び後部の上方は、直立した所要高さの天板(14)及びその垂下部(14a)によって遮光されるので、ノート型パソコン(17)のディスプレイが見易くなるという利点がある。
【００２８】
ノート型パソコン(17)の不使用時には、載置台(18)を元の収容位置に戻し、天板(14)を真上に持ち上げた後、前方に回動させて閉じる。この状態においては、天板(14)の上面を筆記面として一般学習に使用することができる。
【００２９】
図６に示すガイド溝の変形例においては、前後のガイド溝(23)(24)を、ともに、前上向き傾斜部(23a)(24a)の前端に水平部(23b)(24b)を連設し、水平部(23b)(24b)の前後の端部に落ち込み部(23c)(23d)(24c)(24d)を設けた同一形状のものとしているので、パソコン載置台は水平状態のまま、上昇しながら前方に引き出される。また、この例においては、落ち込み部(23c)(23d)(24c)(24d)が２箇所に形成されており、載置台を、そのどちらの場所においても止めることができる。
【００３０】
図７は、パソコン収容部の後部に、配線収容部(５)の上方を覆うカバー(25)を配設した例を示す。
この例では、ほぼ水平の薄板状のカバー(25)の両側に折曲して形成した両側片(26)の後端部を、ローラ(16)の軸(16a)をもって、互いに対向する両側板(3a)(3b)の内面に枢着し、かつなだらかな曲線とした両側片(26)の下縁(26a)を、載置台(18)の両外側面後部に突設したピン(27)上に載置することにより、載置台(18)の前後移動に拘らず、載置台(18)の後部から配線収容部(５)の後覆板(８)までの間、特に配線収容部(５)に収容されている配線類を、常時隠蔽しうるようにしている。したがって、配線類が外部に露呈することがなく、体裁がよい。
なお、カバー(25)の両側片(26)の下縁(26a)を、載置台(18)の両側片(18a)の上縁、または載置台(18)の後端部より起立する後片(18b)の上縁に載置しておくだけでもよい。
【００３１】
上述のパソコン収容型天板ユニットは、長机に装着する場合に限らず、壁、パネル等に取り付けて使用することなど、使用者の使い勝手に合わせて取付場所、取り付け高さを自由に設定することが可能である。
【００３２】
【発明の効果】
請求項１または４に記載のいずれの発明によっても、筆記作業からコンピュータ作業に変更する際に、その度にノート型パソコンを机上に設置する必要がなく、常にノート型パソコンを使用可能な状態で机の内部に収容しておくことができるので、設置作業の煩わしさがなく、作業能率の向上が図れる。また、パソコン用の載置台は、収容位置から手前に引き出すことができるので、パソコン操作のために、椅子を前に進めることもなく、そのまま操作が可能である。さらに、引き出される際に、パソコン載置台は上昇し、パソコン操作に最適の高さ位置となる。
しかも、パソコン用の載置台が前斜め上方に移動することにより、天板をロックする鍵部の設置位置のスペースを特別に設ける必要もなくなり、デザイン的にもスマートなものとなる。
【００３３】
また、請求項１記載の発明によれば、単純な構成で、パソコン用の載置台の引き出し及び上昇を行わせることができる。
【００３４】
さらに、パソコン用の載置台を引き出し易く、かつなめらかに引き出すことができる。
【００３５】
請求項２記載の発明によれば、パソコン操作中にパソコン用の載置台が不意に動いてしまうことがなく、パソコンを安定して使用することができる。
【００３６】
請求項３記載の発明によれば、載置台に載置したノート型パソコンを、常にほぼ水平状態を保って安定して出し入れできるので、移動に対する内蔵部品の影響等が少ない。
【００３７】
請求項４記載の発明によれば、パソコン用の載置台が前方に移動しても、その後方は常にカバーにより隠蔽され、特に配線類等が外部に露呈することがなく、パソコン使用中にも視覚的なスマート感が保たれる。
【００３８】
請求項５記載の発明によれば、配線収容部に収容された配線がすべてカバーにより隠蔽されるので、体裁がよい。
【図面の簡単な説明】
【図１】  本発明の一実施形態を備えたパソコン格納型天板ユニットを装備した長机の斜視図である。
【図２】  同じく、天板を閉じた状態の縦断側面図である。
【図３】  同じく、天板を垂直位置まではね上げた状態の縦断側面図である。
【図４】  同じく、天板を垂直下降位置まで下降させた状態の縦断側面図である。
【図５】  同じく、パソコン用の載置台の斜視図である。
【図６】  同じく、ガイド溝の変形例を示す側板の側面図である。
【図７】  同じく、配線収容部の上方にカバーを設けた例を示す要部の拡大縦断側面図である。
【符号の説明】
(Ａ)長机
(１)パソコン収容型天板ユニット
(２)脚
(3a)(3b)側板
(４)底板
(５)配線収容部
(６)前覆板
(７)底受板
(８)後覆板
(９)後面板
(10)空間
(11)ガイド溝
(12)天板支持体
(13)ガイドローラ
(14)天板
(14a)垂下部
(15)枢軸
(16)ローラ
(16a)軸
(17)ノート型パソコン
(18)載置台
(18a)側片
(18b)後片
(19)(20)ローラ
(21)(22)ガイド溝
(21a)傾斜部
(21b)頂部
(21c)落ち込み部
(22a)後水平部
(22b)傾斜部
(22c)前水平部
(23)(24)ガイド溝
(23a)(24a)傾斜部
(23b)(24b)水平部
(23c)(23d)(24c)(24d)落ち込み部
(25)カバー
(26)側片
(26a)下縁
(27)ピン
【図１】
0004510206.tif 000002
【図２】
0004510206.tif 000003
【図３】
0004510206.tif 000004
【図４】
0004510206.tif 000005
【図５】
0004510206.tif 000006
【図６】
0004510206.tif 000007
【図７】
0004510206.tif 000008